(57)【要約】  【課題】  複数個の液位調整キーを利用して複数個のリミットスイッチが浮き玉を感応する位置を変えることにより、供水ユニットが熱水タンクの内部に輸入する液量を制御することができる。  【解決手段】  熱水タンク１、収容タンク２、供水ユニット３、液位センサー４および制御ユニット５を有する。収容タンク２は熱水タンク１と連通する。供水タンク３は熱水タンク１と連通する。液位センサー４には複数個のリミットスイッチ４１ａ、４１ｂ、４１ｃと一個の浮き玉４２が設けられる。制御ユニット５には複数個の液位調整キー５１ａ、５１ｂ、５１ｃが設けられ、複数個の液位調整キー５１ａ、５１ｂ、５１ｃは複数個のリミットスイッチ４１ａ、４１ｂ、４１ｃおよび供水ユニット３とは電気的に連結されるように構成されている。【選択図】    図１
2010185711.tif 000002
【特許請求の範囲】
【請求項１】
熱水タンク（１）、収容タンク（２）、供水ユニット（３）、液位センサー（４）および制御ユニット（５）を有する飲水機において、収容タンク（２）は熱水タンク（１）と連通し、供水ユニット（３）は熱水タンク（１）と連通し、液位センサー（４）には複数個のリミットスイッチ（４１ａ、４１ｂ、４１ｃ）と一個の浮き玉（４２）が設けられ、複数個のリミットスイッチ（４１ａ、４１ｂ、４１ｃ）は収容タンク（２）の側周壁の異なる位置に設けられ、浮き玉（４２）は収容タンク（２）の内部に設けられ、制御ユニット（５）には複数個の液位調整キー（５１ａ、５１ｂ、５１ｃ）が設けられ、複数個の液位調整キー（５１ａ、５１ｂ、５１ｃ）は複数個のリミットスイッチ（４１ａ、４１ｂ、４１ｃ）および供水ユニット（３）とは電気的に連結され、複数個の液位調整キー（５１ａ、５１ｂ、５１ｃ）を切り換えることで浮き玉（４２）がリミットスイッチ（４１ａ、４１ｂ、４１ｃ）に感応するのを選択することにより、供水ユニット（３）が熱水タンク（１）の内部に輸入する液量を制御することを特徴とする飲水機。
【請求項２】
熱水タンク（１）、収容タンク（２）、供水ユニット（３）、液位センサー（４）および制御ユニット（５）を有する飲水機において、収容タンク（２）には滑動溝（２３）が設けられ、滑動溝（２３）は収容タンク（２）の外周面に設けられ、収容タンク（２）は熱水タンク（１）と連通し、供水タンク（３）は熱水タンク（１）と連通し、液位センサー（４）には一個のリミットスイッチ（４１）と一個の浮き玉（４２）が設けられ、リミットスイッチ（４１）は移動自在に滑動溝（２３）に設けられ、浮き玉（４２）は収容タンク（２）の内部に設けられ、制御ユニット（５）はリミットスイッチ（４１）および供水ユニット（３）とは電気的に連結され、リミットスイッチ（４１）を移動することで浮き玉（４２）の位置を感応することにより、供水ユニット（３）が熱水タンク（１）の内部に輸入する液量を制御することを特徴とする飲水機。
【請求項３】
収容タンク（２）は熱水タンク（１）の内部に設けられることを特徴とする請求項１または２記載の飲水機。
【請求項４】
収容タンク（２）は熱水タンク（１）の外側に設けられることを特徴とする請求項１または２記載の飲水機。
【請求項５】
熱水タンク（１）または収容タンク（２）の外周壁には複数個の液位標識線（２１）が設けられ、複数個の液位標識線（２１）の間には高低の差を有するように形成されることを特徴とする請求項１または２記載の飲水機。
【請求項６】
熱水タンク（１）の外周面には加熱器（１１）が設けられ、熱水タンク（１）の内部には温度検知器（１２）が設けられ、温度検知器（１２）と加熱器（１１）とは電気的に連結されることを特徴とする請求項１または２記載の飲水機。
【請求項７】
供水ユニット（３）は生水タンク（３１）と供水部材（３２）により組成され、生水タンク（３１）は供水部材（３２）と連通するように形成されることを特徴とする請求項１または２記載の飲水機。
【請求項８】
供水ユニット（３）は生水タンク（３１）と蒸気給水器により組成され、生水タンク（３１）は上記蒸気給水器と連通するように形成されることを特徴とする請求項１または２記載の飲水機。
【請求項９】
液位センサー（４）は浮き玉式スイッチ、光学式スイッチまたは磁気バネ式スイッチからなることを特徴とする請求項１または２記載の飲水機。
【発明の詳細な説明】
【技術分野】
【０００１】
本発明は、飲水機に関するもので、特に飲水機の内部の液位の高さを変えることにより、飲水機の内部において異なる液量を貯蔵することができる飲水機に係るものである。
【背景技術】
【０００２】
従来の飲水機としては、例えば本体、熱水タンク、液位センサー、生水タンクおよび加熱器を備えたものが知られている。上記本体と上記熱水タンクとの間は管路によって互いに連通され、上記熱水タンクの内部の液体は上記管路を経て上記本体の内部に進入し、さらに連通管によって上記本体と上記熱水タンクの液面は同じ高さに保持されるようになっている。また、上記液位センサーは上記本体の内部に設置され、上記液位センサーは上記本体の内部の液面を検知するのに用いられることにより、上記熱水タンクの液面が低液位の状態にある時、上記生水タンクの内部に液体は上記熱水タンクまで補充することになり、そして上記熱水タンクの液面が高液位の状態にあるのを維持し続け、さらに上記加熱器を利用して上記熱水タンクの内部の液体を加熱するようにとしたものがある。
【０００３】
また、従来の飲水機に設けられる液位センサーとしては、例えば中華民国新型第２９６０５４号においては、主に本体と支持体により構成される空間内において浮き玉を設け、そして上記本体と支持体により構成される空間と飲水機の水タンクとは互いに連通するように形成される。さらに、上記浮き玉の側辺には磁石が固設され、上記本体の側辺の収容タンクの内部には磁性バネ式スイッチが設けられ、そして上記本体の内部の液体が低液位の状態にある時、上記磁性バネ式スイッチは供水ユニット（例えば供水部材）を起動して液体を上記水タンクの内部まで補充し続け、上記本体の内部の液体が高液位の状態になるまで、上記浮き玉の側辺に位置する磁石は上記磁気バネ式スイッチを吸引してオフにすることにより、上記供水ユニットが供水し続けるのを阻止する。これにより、上記飲水機の水タンクは高液位の状態を維持し続けるようにとしたものがある（例えば、特許文献１を参照）。
【０００４】
さらに、図５を参照すると、従来の飲物装置としては、液位センサー９１および低水位スイッチ９２が含まれる。液位センサー９１は主に液位の上限位置を制限するためのセンサーで、そして低水位スイッチ９２は主に液位が下限位置に達したことを警告するためのセンサーである。液位センサー９１は収容タンク９３の上端に設けられ、低水位スイッチ９２は生水タンク９４の内部の底部に設けられている。収容タンク９３は飲水機９の熱水タンク９５に連通している。液位センサー９１は供水部材（止水弁）９６と電気的に接続され、低水位スイッチ９２は加熱器９７と電気的に接続されている。そして上記上端の液位センサー９１は熱水タンク９５が満水位であることを検知することにより起動信号を発し、この起動信号に基づいて供水部材９６をオフにする制御（即ち水の流れを止める制御）がなされる。また、供水部材９６はオンの状態において生水タンク９４内の水を熱水タンク９５に供給することになる。即ち、上記上端の液位センサー９１は熱水タンク９５が未満水位である際には満水位を検知することがないことから、供水部材９６をオンにする制御がなされ、供水部材９６は生水タンク９４から熱水タンク９５の内部に水を供給することになる。そして低水位スイッチ９２が低水位を検知することにより、加熱器９７が熱水タンク９５に対して加熱するのをオフする制御が行われることになり、熱タンク９５の空炊を避けることができるようにとしたものがある。
【先行技術文献】
【特許文献】
【０００５】
【特許文献１】中華民国新型第２９６０５４号
【発明の概要】
【発明が解決しようとする課題】
【０００６】
上述した従来の飲水機において、一般として下記の問題点を有している。上記従来の液位センサーは主に上記飲水機の熱水タンクが持続的に満水位に位置するのを維持することにより、上記加熱器が空炊きするのを避けるものであり、さらに上述した複数個の液位センサーの運用では主に一つの液位センサーを最高液位の限制にするもので、そしてもう一つの液位センサーを最低液位の警告にするものであるため、上記従来の飲水機では貯蔵するための液位と液量を変えるとの概念に達することができない。そのため、上記従来の飲水機の熱水タンクが常に最高液位と最大液量を維持するためには、上記加熱器は加熱する毎に大量な液体に対して加熱を行わなければならないため、相当なエネルギーを浪費することになる。特に、上記飲水機を使用する人が極めて少なく、そして依然として大容量な熱水タンクを使用する場合においては、そのエネルギーの浪費はさらに明らかになるという問題点を有する。
【０００７】
その他に、上記熱水タンクが満水位の状態において、その内部の液体を加熱するのに必要とする時間が比較的長いため、臨時的に急に熱水を必要とする場合においては比較的不便になる。上記熱水タンクの容積を変えないとの前提において、飲用する人数および需要性に応じて上記熱水タンクの液量を制御することにより、上記飲水機の内部の液量を飲用する人数の全体の需要性に近付くようになれば、上記加熱器が消耗するエネルギーを有効に低く抑えることができるとともに、加熱のスピードを高めることができるため、エネルギーの節約にもなる。このように、上記のような従来の飲水機をさらに改良しなければならない。
【０００８】
本発明はこのような問題点に鑑みて発明したものであって、その第一の目的とするところは、使用者の使用上の需要性に応じて飲水機が貯蔵する液位の高度を選択（液位の高低を選定）することができる飲水機を提供しようとするものである。
【０００９】
本発明の第二の目的とするところは、使用者の使用上の需要性に応じて飲水機が貯蔵する液位の高度を変えることにより、貯蔵する液量を変えることができる飲水機を提供しようとするものである。
【課題を解決するための手段】
【００１０】
上記目的を達成するために、本発明による飲水機は、下記のようになるものである。すなわち、
熱水タンク、収容タンク、供水ユニット、液位センサーおよび制御ユニットを有する。収容タンクは熱水タンクと連通する。供水タンクは熱水タンクと連通する。液位センサーには複数個のリミットスイッチと一個の浮き玉が設けられ、複数個のリミットスイッチは収容タンクの側周壁の異なる位置に設けられ、浮き玉は収容タンクの内部に設けられる。制御ユニットには複数個の液位調整キーが設けられ、複数個の液位調整キーは複数個のリミットスイッチおよび供水ユニットとは電気的に連結される。複数個の液位調整キーを切り換えることで浮き玉がリミットスイッチに感応するのを選択することにより、供水ユニットが熱水タンクの内部に輸入する液量を制御する。
【００１１】
また、本発明による飲水機は、熱水タンク、収容タンク、供水ユニット、液位センサーおよび制御ユニットを有する。収容タンクには滑動溝が設けられ、滑動溝は収容タンクの外周面に設けられ、収容タンクは熱水タンクと連通する。供水タンクは熱水タンクと連通する。液位センサーには一個のリミットスイッチと一個の浮き玉が設けられ、リミットスイッチは移動自在に滑動溝に設けられ、浮き玉は収容タンクの内部に設けられる。制御ユニットはリミットスイッチおよび供水ユニットとは電気的に連結される。リミットスイッチを移動することで浮き玉の位置を感応することにより、供水ユニットが熱水タンクの内部に輸入する液量を制御することもできる。
【００１２】
さらに、本発明による飲水機は、収容タンクは熱水タンクの内部に設けられることもできる。また、収容タンクは熱水タンクの外側に設けられることもできる。また、熱水タンクまたは収容タンクの外周壁には複数個の液位標識線が設けられ、複数個の液位標識線の間には高低の差を有するように形成されることもできる。また、熱水タンクの外周面には加熱器が設けられ、熱水タンクの内部には温度検知器が設けられ、温度検知器と加熱器とは電気的に連結されることもできる。また、供水ユニットは生水タンクと供水部材により組成され、生水タンクは供水部材と連通するように形成されることもできる。また、供水ユニットは生水タンクと蒸気給水器供により組成され、生水タンクは上記蒸気給水器と連通するように形成されることもできる。また、液位センサーは浮き玉式スイッチ、光学式スイッチまたは磁気バネ式スイッチからなることもできる。
【発明の効果】
【００１３】
本発明の飲水機によれば、使用者の使用上の需要性に応じて飲水機が貯蔵する液位の高度を選択することができるという利点がある。
【００１４】
本発明の飲水機によれば、使用者の使用上の需要性に応じて飲水機が貯蔵する液位の高度を変えることにより、貯蔵する液量を変えることができるという利点がある。
【図面の簡単な説明】
【００１５】
【図１】本発明の飲水機の浮き玉式スイッチによる正面説明図である。
【図２】本発明の飲水機の実施例１による説明図である。
【図３】本発明の飲水機の実施例２による説明図である。
【図４】本発明の飲水機の光学式スイッチによる正面説明図である。
【図５】従来の飲水機による正面説明図である。
【発明を実施するための形態】
【実施例１】
【００１６】
本発明の実施例１について、以下、図面を参照して説明する。
【００１７】
図１は本発明の飲水機の浮き玉式スイッチによる正面説明図である。図１を参照すると、本発明の飲水機には熱水タンク１、収容タンク２、供水ユニット３、液位センサー４および制御ユニット５が含まれる。即ち、飲水機は、熱水タンク１、収容タンク２、供水ユニット３、液位センサー４および制御ユニット５を備えている。熱水タンク１と収容タンク２はそれぞれ上下に配置された各管路ａ、ｂにより互いに連接され、さらに熱水タンク１は供水ユニット３と管路ｄを介して連通する。液位センサー４は収容タンク２の側周壁に設けられ、液位センサー４は制御ユニット５と電気的に接続され、さらに制御ユニット５は供水ユニット３と電気的に接続されている。
【００１８】
熱水タンク１には加熱器１１と、温度検知器１２と、出水バルブ１３とが設けられている。加熱器１１は熱水タンク１の外周面の下部に設けられている。温度検知器１２は好ましくは選択的に熱水タンク１の内部に設けられている。即ち、温度検知器１２は、熱水タンク１の内周面に着脱可能に又は上下方向に移動可能に設けられている。この例では、温度検知器１２を熱水タンク１の内周面の下部に設けた例を示している。加熱器１１は温度検知器１２とは電気的に接続されている。出水バルブ１３は好ましくは熱水タンク１の底部（底板部）に管路ｃを介して設けられており、その管路ｃを経由して熱水タンク１内と互いに連通するように構成される。
【００１９】
収容タンク２には複数個の液位標識線２１と一個の位置決め棒２２が設けられている。収容タンク２は熱水タンク１の内側または外側に設けることが可能であり、収容タンク２は熱水タンク１とは管路ａ、ｂを介して互いに連通するように構成されている。本実施例１においては、収容タンク２を熱水タンク１の外側に設けた例を示している。複数個の液位標識線２１は熱水タンク１または収容タンク２の外周壁に設けることができるとともに、複数個の液位標識線２１の間には高低差を有するように形成され、複数個の液位標識線２１によって熱水タンク１を複数個の容量に定める。即ち、液位標識線２１は上下方向に所定の間隔をおいて設けられている。位置決め棒２２は収容タンク２の内部に設けられ、そして位置決め棒２２は好ましくは収容タンク２の内部の上端から収容タンク２の底部に向って縦方向に延伸するように形成される。
【００２０】
供水ユニット３は熱水タンク１と連通する。本実施例１において供水ユニット３には生水タンク３１と供水部材３２が設けられ、生水タンク３１は管路ｄを経由して熱水タンク１と互いに連通するように形成される。即ち、供水ユニット３は、生水タンク３１と、供水部材３２とを備えた構成になっており、供水部材３２は、生水タンク３１と熱水タンク１とを連結する管路ｄに設置されている。生水タンク３１の内部の底部（底板部）には低水位スイッチ３１１が設けられており、低水位スイッチ３１１は加熱器１１とは電気的に接続されている。低水位スイッチ３１１によって加熱器１１の開閉を制御することができるため、加熱器１１が熱水タンク１に対して空炊きするのを避けることができる。即ち、低水位スイッチ３１１によって、生水タンク３１の下限水位を検知することにより、加熱器１１への通電を防止することで、加熱器１１による熱水タンク１の空炊きを防止することができる。供水部材３２によって生水タンク３１の液体を熱水タンク１の内部に輸入し、その内に供水部材３２を蒸気給水器と取り替えることができる。その他に、供水ユニット３は選択的に供水管路（例えば、蛇口）からなることができるため、直接管路ｄを経由して熱水タンク１の内部まで供水することができる。即ち、給水部材３２を制御ユニット５によって制御されるポンプによって構成することにより、生水タンク３１内の液体（水）を強制的に熱水タンク１内に供給するように構成されている。また、生水タンク３１内の液体を重力によって熱水タンク１内に管路ｄを介して供給可能なように、当該生水タンク３１を高い位置に配置すると共に、給水部材３２として制御ユニット５によって制御可能な止水弁を用いることにより、開状態に制御された止水弁を介して生水タンク３１内の液体を熱水タンク１内に供給するように構成してもよい。
【００２１】
液位センサー４には複数個のリミットスイッチ４１ａ、４１ｂ、４１ｃと一個の浮き玉４２が設けられ、複数個のリミットスイッチ４１ａ、４１ｂ、４１ｃは選択的に浮き玉式スイッチ（図１に示す如く）、光学式スイッチ（図４に示す如く）または磁気バネ式スイッチ等からなることができ、複数個のリミットスイッチ４１ａ、４１ｂ、４１ｃはそれぞれ複数個の液位標識線２１と同じ高さの位置または予定の位置に設けられる。浮き玉４２は滑動自在に位置決め棒２２に嵌設され、そして浮き玉４２は収容タンク２の内部の液面の高さに従って移動することにより、複数個のリミットスイッチ４１ａ、４１ｂ、４１ｃは浮き玉４２の位置に感応する。即ち、液位センサー４は、複数個のリミットスイッチ４１ａ、４１ｂ、４１ｃと一個の浮き玉４２を備えた構成になっている。各リミットスイッチ４１ａ、４１ｂ、４１ｃは、光学式スイッチや、磁気バネ式スイッチ等の近接スイッチによって構成されていると共に、各液位標識線２１に対応する位置であって、各液位標識線２１に液面が達した際に、その液面と共に移動してきた浮き玉４２によってスイッチがオンとなる位置に配置されている。浮き玉４２は、圧肉の円板状に形成されたものであり、軸心部に形成された貫通孔が位置決め棒２２に軸方向に移動自在に嵌合されている。そして浮き玉４２は、収容タンク２の内部の液面と共に上下方向に移動し、各リミットスイッチ４１ａ、４１ｂ、４１ｃのいずれかをオン状態にするようになっている。なお、各液位標識線２１を設けることなく、各リミットスイッチ４１ａ、４１ｂ、４１ｃを収容タンク２の外周面の上下方向に間隔をおいて設けるように構成してもよい。
【００２２】
制御ユニット５には複数個の液位調整キー５１ａ、５１ｂ、５１ｃが設けられ、複数個の液位調整キー５１ａ、５１ｂ、５１ｃはそれぞれ制御ユニット５と電気的に接続され、そして制御ユニット５は複数個のリミットスイッチ４１ａ、４１ｂ、４１ｃと電気的に接続され、さらに制御ユニット５は供水部材３２と電気的に接続されている。制御ユニット５によって供水部材３２が起動または閉止（停止）するのを制御することができるため、生水タンク３１の液体を熱水タンク１の内部に輸入（輸送）したり、または輸入するのを停止したりすることができる。
【００２３】
図２は本発明の飲水機の実施例１による制御に関する説明図であり、図２を参照すると、本発明の実施例１において収容タンク２は管路ａ、ｂを通じ、収容タンク２の内部の液体の液面を熱水タンク１の液面の高さと同じ高さに維持する。その他に、複数個の液位標識線２１はそれぞれ熱水タンク１を複数個の異なる容量に定める。実施例１においては、選択的に三個の液位標識線２１を実施例とする。三個の液位標識線２１は低から高までそれぞれ熱水タンク１の液体の容量を表示し、例えば１０００ミリリットル、２０００ミリリットルと３０００ミリリットルが対応する液面の高さを表示する。また、三個のリミットスイッチ４１ａ、４１ｂ、４１ｃは選択的にそれぞれ三個の液位標識線２１と同じ高さの位置に位置合わせるように設置される。
【００２４】
実際に使用すると、使用者が必要とする液量に応じて複数個の液位調整キー５１ａ、５１ｂ、５１ｃを経由して熱水タンク１の満水位を限定する。例えば、満水位を２０００ミリリットルとする例に挙げると、制御ユニット５を調整キー５１ｂに切り換えることにより、浮き玉４２は収容タンク２の内部の液体に従って降下し、そしてリミットスイッチ４１ｂが浮き玉４２を検知できないまで降下した時、リミットスイッチ４１ｂは一つに信号を制御ユニット５まで送り出し、制御ユニット５は供水部材３２が起動するのを制御することができるため、液体を生水タンク３１から熱水タンク１の内部まで輸送し、そして熱水タンク１の内部の液位の高さは収容タンク２とは同じになり、そのために熱水タンク１の内部の液量が２０００ミリリットルの水位に達した時、リミットスイッチ４１ｂは浮き玉４２の位置を感応することができるため、一つの信号を制御ユニット５まで送り出し、制御ユニット５は供水部材３２が供水を停止するのを制御することができる。
【００２５】
また、温度検知器１２によって熱水タンク１の内部の液体温度を検知し、上記液体温度が降下した時、温度検知器１２は加熱器１１が熱水タンク１の内部の液体に対して加熱するのを制御することができるため、熱水タンク１の内部の液体温度を維持することができる。さらに、低水位スイッチ３１１を利用して加熱器１１の開閉を制御することにより、加熱器１１が熱水タンク１に対して空炊きするのを避けることができる。
【００２６】
熱水タンク１の内部の液量は使用者の使用上の需要性に応じて設定することができ、使用者は使用上の需要性に応じて選択的に液位調整キー５１ａ、５１ｂ、５１ｃを必要とする液位に切り換えることにより、供水部材３２は補充するための液体を熱水タンク１の内部まで輸入し、そして予定の液位まで貯蔵できるように輸入し続けることができるため、加熱器１１は使用者が必要とする液量だけに対して加熱を行うことができるため、エネルギーの節約に達することができる。
【実施例２】
【００２７】
図３は本発明の飲水機の実施例２による説明図であり、図３を参照すると、実施例２において液位センサー４には一個のリミットスイッチ４１と一個の浮き玉４２だけが設けられる。収容タンク２の外周面には滑動溝２３が設けられ、そしてリミットスイッチ４１は滑動溝２３に設けられる。リミットスイッチ４１は滑動溝２３の内部において移動することができるため、リミットスイッチ４１が予定の位置にあるのを調整することができる。このように、使用者は必要とする液量に応じて任意にリミットスイッチ４１が液量を検知する位置を調整することができるため、使用者が選択的に液量を変える自由度を提供することができる。実施例２における供水部材３２を起動したり切断したりする方式は実施例１とは同じため、ここでは叙述を省略する。
【産業上の利用可能性】
【００２８】
上述の如く、本発明の飲水機によれば、複数個の液位標識線２１によって使用者は必要とする液量を知ることができ、そしてその内の一個の液位調整キー５１ａ、５１ｂ、５１ｃを切り換えたり、またはリミットスイッチ４１の位置を感応しようとする液量の位置に移動したりすることにより、リミットスイッチ４１ａ、４１ｂ、４１ｃは熱水タンク１まで補充する水位を制御することができるため、熱水タンク１の内部に貯蔵する液量を変えることができるとともに、熱水タンク１の内部の全体の液体に対して加熱を行うのを避けることができるため、迅速に加熱することができ、そしてエネルギーを節約するとの効果に達することができる。
【００２９】
本発明は、その精神とび必須の特徴事項から逸脱することなく他のやり方で実施することができる。従って、本明細書に記載した好ましい実施例は例示的なものであり、限定的なものではない。
【符号の説明】
【００３０】
１    熱水タンク
１１    加熱器
１２    温度検知器
１３    出水バルブ
２    収容タンク
２１    液位標識線
２２    位置決め棒
２３    滑動溝
３    供水ユニット
３１    生水タンク
３１１    低水位スイッチ
３２    供水部材
４    液位センサー
４１    リミットスイッチ
４１ａ    リミットスイッチ
４１ｂ    リミットスイッチ
４１ｃ    リミットスイッチ
４２    浮き玉
５    制御ユニット
５１ａ    液位調整キー
５１ｂ    液位調整キー
５１ｃ    液位調整キー
９    飲水機
９１    液位センサー
９２    低水位スイッチ
９３    収容タンク
９４    生水タンク
９５    熱水タンク
９６    供水部材
９７    加熱器
ａ    管路
ｂ    管路
ｃ    管路
ｄ    管路
【図１】
2010185711.tif 000003
【図２】
2010185711.tif 000004
【図３】
2010185711.tif 000005
【図４】
2010185711.tif 000006
【図５】
2010185711.tif 000007